(57)【要約】  モバイルヘルスケアハブは、プロセッサ１１４と、プロセッサに結合されるメモリ１１６と、プロセッサに結合されるディスプレイ１１８とを含む。通信モジュール１２２は、１つ又は複数の監視デバイスと通信するように構成されるモバイル通信デバイス１３８を含む。１つ又は複数の監視デバイスは、特定の患者についての測定データ及び／又は履歴データを記憶するように構成される。モバイル通信デバイスは、通信エンベロープに入ると１つ又は複数の監視デバイスに接続される。情報監視モジュール１２６は、関連性及びコンテキストに基づいて１つ又は複数の監視デバイスから特定の患者についての測定データ及び／又は履歴データを受信し、統合し、処理するように構成される。表示フォーマット化モジュール１２８は、特定の患者についての測定データ及び／又は履歴データを受信し、ディスプレイ上での表示用に測定データ及び／又は履歴データをフォーマット化するように構成される。
2018500090.tif 000002
【特許請求の範囲】
【請求項１】
少なくとも１つのプロセッサと、
前記少なくとも１つのプロセッサに結合されるメモリと、
前記少なくとも１つのプロセッサに結合されるディスプレイと、
特定の患者についての測定データ又は履歴データの少なくとも一方を記憶する１つ又は複数の監視デバイスと通信するモバイル通信デバイスを含む通信モジュールであって、前記モバイル通信デバイスが通信エンベロープに入ると前記１つ又は複数の監視デバイスに接続される、通信モジュールと、
関連性及びコンテキストに基づいて前記１つ又は複数の監視デバイスから前記特定の患者についての前記測定データ又は履歴データの少なくとも一方を受信し、統合し、処理する情報監視モジュールと、
前記特定の患者についての前記測定データ又は履歴データの少なくとも一方を受信し、前記ディスプレイ上での表示用に前記測定データ又は履歴データの少なくとも一方をフォーマット化する表示フォーマット化モジュールと
を備える、モバイルヘルスケアハブ。
【請求項２】
前記１つ又は複数の監視デバイスが、（ｉ）除細動器若しくはペースメーカーモジュール、（ｉｉ）患者監視モジュール、（ｉｉｉ）患者既往歴ポータル、（ｉｖ）ホーム監視ポータル、（ｖ）ホームヘルスデバイス若しくはセンサ、（ｖｉ）人工呼吸器、（ｖｉｉ）心肺蘇生モジュール、又は（ｖｉｉｉ）温度調節モジュールの少なくとも１つを含む、請求項１に記載のモバイルヘルスケアハブ。
【請求項３】
前記モバイル通信デバイスが、前記監視デバイスの１つ又は複数と有線又は無線通信の少なくとも一方を行う電子インターフェースを含む、請求項１に記載のモバイルヘルスケアハブ。
【請求項４】
患者の画像データを取得するための超音波プローブに接続するためのポートを含む、請求項１に記載のモバイルヘルスケアハブ。
【請求項５】
１つ又は複数のバーコードをスキャンするためのバーコードスキャナを含む、請求項１に記載のモバイルヘルスケアハブ。
【請求項６】
前記１つ又は複数の監視デバイスが他のモバイルヘルスケアハブを含む、請求項１に記載のモバイルヘルスケアハブ。
【請求項７】
前記モバイルヘルスケアハブが前記１つ又は複数の監視デバイスの通信エンベロープに入った場合に、前記モバイルヘルスケアハブによる前記１つ又は複数の監視デバイスへのアクセスを承認するセキュリティモジュールをさらに備える、請求項１に記載のモバイルヘルスケアハブ。
【請求項８】
前記メモリが、前記モバイルヘルスケアハブを介してヘルスケア専門家に接続するためのリンクを記憶する、請求項１に記載のモバイルヘルスケアハブ。
【請求項９】
外部ハードウェアモジュールを有するポータブルコンピュータデバイスを備える、モバイルヘルスケアハブであって、前記外部ハードウェアモジュールが、
特定の患者についての測定データ又は履歴データの少なくとも一方を記憶する１つ又は複数の監視デバイスと通信するモバイル通信デバイスであって、前記モバイル通信デバイスが通信エンベロープを通信可能に接続すると前記１つ又は複数の監視デバイスに通信可能に接続される、モバイル通信デバイスと、
関連性又はコンテキストの少なくとも一方に基づいて前記１つ又は複数の監視デバイスから前記特定の患者についての前記測定データ又は履歴データの少なくとも一方を受信し、統合し、処理する情報監視モジュールと、
前記特定の患者についての前記測定データ又は履歴データの少なくとも一方を受信し、ディスプレイ上での表示用に前記測定データ又は履歴データの少なくとも一方をフォーマット化する表示フォーマット化モジュールと、
前記モバイルヘルスケアハブが前記１つ又は複数の監視デバイスの前記通信エンベロープを通信可能に接続した場合に、前記モバイルヘルスケアハブによる前記１つ又は複数の監視デバイスへのアクセスを承認するセキュリティモジュールと
を含む、モバイルヘルスケアハブ。
【請求項１０】
前記１つ又は複数の監視デバイスが、（ｉ）除細動器、（ｉｉ）ペースメーカーモジュール、（ｉｉｉ）患者監視モジュール、（ｉｖ）患者既往歴ポータル、（ｖ）ホーム監視ポータル、（ｖｉ）ホームヘルスデバイス若しくはセンサ、（ｖｉｉ）人工呼吸器、（ｖｉｉｉ）心肺蘇生モジュール、又は（ｉｘ）温度調節モジュールの少なくとも１つを含む、請求項９に記載のモバイルヘルスケアハブ。
【請求項１１】
前記モバイル通信デバイスが、前記監視デバイスの１つ又は複数と有線又は無線通信の少なくとも一方のための電子インターフェースを含む、請求項９に記載のモバイルヘルスケアハブ。
【請求項１２】
患者の画像データを取得するための超音波プローブに接続するためのポートを含む、請求項９に記載のモバイルヘルスケアハブ。
【請求項１３】
１つ又は複数のバーコードをスキャンするためのバーコードスキャナを含む、請求項９に記載のモバイルヘルスケアハブ。
【請求項１４】
前記１つ又は複数の監視デバイスが他のモバイルヘルスケアハブを含む、請求項９に記載のモバイルヘルスケアハブ。
【請求項１５】
前記メモリが、前記モバイルヘルスケアハブを介して１人又は複数のヘルスケア専門家との通信可能な接続をするためのリンクを記憶する、請求項９に記載のモバイルヘルスケアハブ。
【請求項１６】
患者データに遠隔アクセスするための方法であって、
少なくとも１つのプロセッサと、前記少なくとも１つのプロセッサに結合されるメモリと、前記少なくとも１つのプロセッサに結合されるディスプレイと、特定の患者についての測定データ又は履歴データの少なくとも一方を記憶する１つ又は複数の監視デバイスと通信するモバイル通信デバイスを含む通信モジュールと、関連性及びコンテキストに基づいて前記１つ又は複数の監視デバイスから前記特定の患者についての前記測定データ又は履歴データの少なくとも一方を受信し、統合し、処理する情報監視モジュールと、前記特定の患者についての前記測定データ又は履歴データを受信し、前記測定データ又は履歴データの少なくとも一方をフォーマット化する表示フォーマット化モジュールとを有するモバイルヘルスケアハブを提供するステップと、
前記モバイルヘルスケアハブにより前記１つ又は複数の監視デバイスの通信エンベロープに入るステップであって、前記入るステップが前記通信エンベロープに通信可能に接続することによって行われる、当該入るステップと、
前記１つ又は複数の監視デバイスと前記モバイルヘルスケアハブとの間の通信を確立するステップと、
前記１つ又は複数の監視デバイスから前記特定の患者についての前記測定データ又は履歴データの少なくとも一方を含む患者データを収集するステップと、
前記モバイルヘルスケアハブのディスプレイ上での表示用に前記患者データをフォーマット化し統合するステップと
を備える、方法。
【請求項１７】
前記１つ又は複数の監視デバイスが、（ｉ）除細動器若しくはペースメーカーモジュール、（ｉｉ）患者監視モジュール、（ｉｉｉ）患者既往歴ポータル、（ｉｖ）ホーム監視ポータル、（ｖ）ホームヘルスデバイス若しくはセンサ、（ｖｉ）人工呼吸器、又は（ｖｉｉ）温度調節モジュールの１つ又は複数を含む、請求項１６に記載の方法。
【請求項１８】
通信を確立する前記ステップが、前記監視デバイスの１つ又は複数との安全な有線通信又は安全な無線通信の少なくとも一方を確立するステップを含む、請求項１６に記載の方法。
【請求項１９】
前記安全な有線又は無線通信を確立する前記ステップが、前記モバイルヘルスケアハブが前記１つ又は複数の監視デバイスの前記通信エンベロープに入った場合に、前記モバイルヘルスケアハブによる前記１つ又は複数の監視デバイスへのアクセスを承認するステップを含む、請求項１８に記載の方法。
【請求項２０】
前記モバイルヘルスケアハブを用いて患者データを収集するステップをさらに備える、請求項１６に記載の方法。
【請求項２１】
前記モバイルヘルスケアハブを用いて患者データを収集する前記ステップが、前記モバイルヘルスケアハブに接続されたプローブを用いて患者から画像データを集めるステップ、又はバーコードスキャナを用いて１つ又は複数の処方箋バーコードをスキャンするステップの少なくとも一方を含む、請求項２０に記載の方法。
【請求項２２】
前記１つ又は複数の監視デバイスが、複数の監視デバイスからローカルに患者データを集めて前記モバイルヘルスケアハブにアップロードする第２のモバイルヘルスケアハブを含む、請求項１６に記載の方法。
【請求項２３】
前記モバイルヘルスケアハブを介して１人又は複数のヘルスケア専門家との通信可能なリンクをするステップをさらに備える、請求項１６に記載の方法。
【発明の詳細な説明】
【技術分野】
【０００１】
本開示は医療器具間の通信に関し、より詳細には複数のデバイス間の相互接続を提供するモバイルハブに関する。
【背景技術】
【０００２】
同じプラットフォーム上の複数の異なるデバイス間の遠隔データ接続の統合は、特に医療環境では容易に利用可能でない。医療デバイス、タブレット、ラップトップコンピュータ、患者データ情報システムなどの集合体は、多くの場合別々に配備されており、パブリックネットワークを用いて接続されているか、又はローカル無線ネットワーク上で直結されている。
【０００３】
一般的な入院前の救急医療行為では、救急救命士は、緊急事態に対応するための少数の医療デバイスを携行している。典型的には、彼らはモニタ／除細動器、たとえばＰｈｉｌｉｐｓ（登録商標）ＨｅａｒｔＳｔａｒｔ  ＭＲｘ（商標）を一次医療デバイスとして使用する。モニタ／除細動器は、ＥＣＧ、ＳｐＯ２、ＮＢＰ及びＥｔＣＯ２を含むバイタルの患者の測定値を提供する。モニタ／除細動器はまた、除細動器ショック、同期カルディオバージョン及び経皮ペーシングを含む電気治療を提供する。典型的には、救急車はまた、酸素と、場合により人工呼吸器とが搭載されている。いくつかの救急医療サービス（ＥＭＳ：ｅｍｅｒｇｅｎｃｙ  ｍｅｄｉｃａｌ  ｓｅｒｖｉｃｅ）は、救急車出動データを表示し、患者ケア記録を入力するためのソフトウェアを有するラップトップ又はタブレットコンピュータが搭載されている。より高度なＥＭＳ機関はまた、到着前に医療データを転送するために病院との無線データ通信を有し得る。
【０００４】
モニタ／除細動器デバイス、たとえばＰｈｉｌｉｐｓ（登録商標）ＨｅａｒｔＳｔａｒｔ  ＭＲｘ（商標）は、病院内の患者情報システムにデータを無線で送信する能力を有する。たとえば、１２ＥＣＧを、現地の患者の所にあるデバイスによって取得し、セルラー通信技術によって病院のＥＣＧ解析ワークステーションコンピュータに送信することができ、その結果心臓専門医は遠隔診断を提供することができる。
【０００５】
データ管理側には、一般に電子患者ケア記録（ｅＰＣＲ：ｅｌｅｃｔｒｏｎｉｃ  ｐａｔｉｅｎｔ  ｃａｒｅ  ｒｅｃｏｒｄ）システムと呼ばれる多様なＥＭＳ指向の患者管理システムがある。これらのシステムのいくつかは、モニタ／除細動器から患者インシデントデータをインポートし、このデータを患者イベント記録全体と統合し、このデータを遠隔データリポジトリに送信するための能力を有する。
【０００６】
他のシステムは、モニタからのＥＭＳイベントに関するデータ及び資産管理データベースを集約し、そのデータをデータ記憶システムに送信するためのインターフェース及び記憶能力を既存の監視デバイスに追加することが可能である。監視デバイスは除細動器であり得、システムは除細動器及びタブレットを含み得る。
【発明の概要】
【発明が解決しようとする課題】
【０００７】
標準的なＥＭＳの活動では、緊急呼び出しで派遣された場合、救急救命士は現地で患者を処置し安定させた後、患者を病院へ搬送する。コミュニティパラメディシン（ｃｏｍｍｕｎｉｔｙ  ｐａｒａｍｅｄｉｃｉｎｅ）への傾向が高まるにつれて、ＥＭＳ機関は、多くの患者がより柔軟な幅広いケアの選択肢によってより良くサービス提供され得ることを見出している。たとえば、救急救命士は、定期的にスケジュールされた家庭訪問を行って、医療評価を実施し、患者が処方薬を服用するようにし、彼らのプライマリケア提供者をフォローアップする。通信指令員をトリアージナースに置き換えて、発信者が彼らの医療問題の適切な治療法を見つけるのを助けることができる。
【０００８】
もう１つの傾向は、家庭内での医療デバイスを使用して、鬱血性心不全などの慢性的な患者の容体を継続的に監視することに向かっている。Ｐｈｉｌｉｐｓ（登録商標）ＴｅｌｅＳｔａｔｉｏｎ（商標）は、ＥＣＧ、ＳＰＯ２、ＮＢＰ及び重量のための無線センサを提供し、データを中央監視場所に転送して監視及び傾向分析を行う。患者の容体が悪化した場合、状況がより深刻になる前に、適切な医療措置をとることができる。
【課題を解決するための手段】
【０００９】
本発明の原理によれば、モバイルヘルスケアハブは、プロセッサと、プロセッサに結合されるメモリと、プロセッサに結合されるディスプレイとを含む。通信モジュールは、１つ又は複数の監視デバイスと通信するように構成されるモバイル通信デバイスを含む。１つ又は複数の監視デバイスは、特定の患者についての測定データ及び／又は履歴データを記憶するように構成される。モバイル通信デバイスは、通信エンベロープに入ると１つ又は複数の監視デバイスに接続される。情報監視モジュールは、関連性及びコンテキストに基づいて１つ又は複数の監視デバイスから特定の患者についての測定データ及び／又は履歴データを受信し、統合し、処理するように構成される。表示フォーマット化モジュールは、特定の患者についての測定データ及び／又は履歴データを受信し、ディスプレイ上での表示用に測定データ及び／又は履歴データをフォーマット化するように構成される。
【００１０】
本発明の原理による他のモバイルヘルスケアハブは、外部ハードウェアモジュールを有するポータブルコンピュータデバイスを含み、外部ハードウェアモジュールは、１つ又は複数の監視デバイスと通信するように構成されるモバイル通信デバイスを含む。１つ又は複数の監視デバイスは、特定の患者についての測定データ及び／又は履歴データを記憶するように構成される。モバイル通信デバイスは、通信エンベロープに入ると１つ又は複数の監視デバイスに接続される。情報監視モジュールは、関連性及びコンテキストに基づいて１つ又は複数の監視デバイスから特定の患者についての測定データ及び／又は履歴データを受信し、統合し、処理するように構成される。表示フォーマット化モジュールは、特定の患者についての測定データ及び／又は履歴データを受信し、ディスプレイ上での表示用に測定データ及び／又は履歴データをフォーマット化するように構成される。セキュリティモジュールは、ハブが１つ又は複数の監視デバイスの通信エンベロープに入った場合に、ハブによる１つ又は複数の監視デバイスへのアクセスを承認するように構成される。
【００１１】
患者データに遠隔アクセスするための方法は、少なくとも１つのプロセッサと、少なくとも１つのプロセッサに結合されるメモリと、プロセッサに結合されるディスプレイと、１つ又は複数の監視デバイスと通信するように構成されるモバイル通信デバイスを含む通信モジュールであって、１つ又は複数の監視デバイスが特定の患者についての測定データ及び／又は履歴データを記憶するように構成される、通信モジュールと、関連性及びコンテキストに基づいて監視デバイスから特定の患者についての測定データ又は履歴データを受信し、統合し、処理するように構成される情報監視モジュールと、特定の患者についての測定データ又は履歴データを受信し、測定データ又は履歴データをフォーマット化するように構成される表示フォーマット化モジュールとを有するモバイルヘルスケアハブを準備することと、ハブにより１つ又は複数の監視デバイスの通信エンベロープに入ることと、１つ又は複数の監視デバイス及びハブの間に通信を確立することと、１つ又は複数の監視デバイスから特定の患者についての測定データ及び／又は履歴データを含む患者データを収集することと、ハブのディスプレイ上での表示用に患者データをフォーマット化し統合することとを含む。
【００１２】
本開示のこれら及び他の目的、特徴及び利点は、添付の図面と関連して読まれるべきその例示的実施形態の以下の詳細な説明から明らかとなろう。
【００１３】
本開示は、以下の図を参照して、好ましい実施形態の以下の説明を詳細に提示する。
【図面の簡単な説明】
【００１４】
【図１】一実施形態による患者監視及び情報収集に利用されるモバイルヘルスケアハブを示すブロック／フロー図である。
【図２】一実施形態による患者監視及び情報収集のための監視デバイスを有するモバイルヘルスケアハブシステムを示すブロック／フロー図である。
【図３】例示的実施形態による患者データに遠隔アクセスするための方法を示すフロー図である。
【発明を実施するための形態】
【００１５】
本原理によれば、複数の医療デバイス及び電子患者データ記録システムとデータを交換するモバイルポータブルデバイスが提供される。一実施形態では、コンピュータ（たとえば、タブレットなど）は、カスタム電子機器と、複数の医療デバイス及び情報システムへの無線及び／又はケーブル接続であって、これらのデバイス及びシステムとデータを交換するためのものとによって構成し、場合により拡張することができる。コンピュータは、データを表示、処理、記憶及び送信し、医療デバイスを制御するためのソフトウェアを含むことができる。処理は、アラーム状態を検出すること、高度な診断アルゴリズムを動作させること、適切な通信プロトコルを特定することなどを含むことができる。
【００１６】
本原理は、複数の現場の医療デバイス及び複数の遠隔データ管理システムからの患者データの単一の電子医療記録への集約を自動化することによって、臨床ワークフローを簡素化する。本原理は、移動介護者（ｍｏｂｉｌｅ  ｃａｒｅｇｉｖｅｒ）に対してより十分な情報に基づいた判断を可能にすることによって患者の転帰を改善することができ、その理由は、介護者が患者の病歴データ並びに現在のバイタル及び治療に関する情報にアクセスし、患者の場所で利用可能な全てのデータにアクセスできる専門家から遠隔サポートを受けることができるためである。
【００１７】
本原理は、多様な医療デバイス及び患者情報システムからの患者データを集約することによって、モニタ／除細動器のデータ伝送能力を拡張する。監視ハブは、多数の種類の医療デバイス及び患者情報システムに統合することができ、それによって多種多様なモジュール式のヘルスケア能力を提供することができる。本発明の諸実施形態は、多様な現地の医療デバイスからのデータ及びそれらの制御を統合し、モニタ／除細動器に制限されない。本発明の諸実施形態はさらに、過去の患者情報へのアクセスを可能にし、現在のＥＭＳインシデントについてのデータに制限されない。
【００１８】
病院外の医療ケアのこの拡大する役割と共に、患者の容体及び病歴に関する包括的なデータを移動ヘルスケア提供者（ｍｏｂｉｌｅ  ｈｅａｌｔｈｃａｒｅ  ｐｒｏｖｉｄｅｒ）に提供する機会が増加している。通信指令員に伝達された患者の医療問題についての簡単な説明のみで事故現場に到着する代わりに、救急救命士は、緊急現場に向かう途中に患者の病歴並びに最近のケア及び監視記録にアクセスできることによって恩恵を受ける。また、トリアージナースは、９１１通話中に得られる限られた情報よりも多くの情報にアクセスして、より良い判断を行うことができる。
【００１９】
一実施形態によれば、一連の現場の医療デバイスのリアルタイム表示及び制御、全ての現場の医療デバイスからのバイタルデータを含めるためのインバウンド患者イベントデータの集約、患者病歴記録へのモバイルアクセス、有効性向上のためのデバイスの閉ループ統合などを含むモバイルヘルスケアハブが提供される。
【００２０】
本発明は医療器具に関して記載されるが、本発明の教示がはるかに広く、ハブによって制御可能であってハブにデータを報告可能な任意の一連の又は異なる器具／デバイスに適用可能であることを理解されたい。いくつかの実施形態では、本原理は、複雑な生物学的又は機械的システムの追跡又は分析に利用される。特に、本原理は、患者、生物学的システム、コンピュータシステム又はデバイスなどのステータスの追跡に適用可能である。図に示された要素は、ハードウェア及びソフトウェアの様々な組み合わせで実施することができ、単一の要素又は複数の要素に結合可能な機能を提供することができる。
【００２１】
図に示された様々な要素の機能は、専用ハードウェアを用いて、並びに適切なソフトウェアに関連してソフトウェアを実行可能なハードウェアを用いて提供することができる。プロセッサによって提供される場合、これらの機能は、単一の専用プロセッサによって、単一の共有プロセッサによって、又は一部が共有され得る複数の個別プロセッサによって提供することができる。また、「プロセッサ」又は「コントローラ」という用語の明示的な使用は、ソフトウェアを実行可能なハードウェアを排他的に指すものと解釈されるべきではなく、暗黙的に、限定はしないが、デジタル信号プロセッサ（「ＤＳＰ」）ハードウェア、ソフトウェアを記憶するための読み出し専用メモリ（「ＲＯＭ」）、ランダムアクセスメモリ（「ＲＡＭ」）、不揮発性ストレージなどを含むことができる。
【００２２】
また、本発明の原理、態様、及び実施形態、並びにその具体例を列挙する本明細書の全ての文は、その構造的及び機能的等価物の両方を包含するものとする。さらに、そのような等価物は、現在知られている等価物並びに将来開発される等価物の両方を含むものとする（すなわち、構造に関わらず、同じ機能を実施する任意の開発される要素）。したがって、たとえば、本明細書で提示されるブロック図が、本発明の原理を具現化する例示的なシステム構成要素及び／又は回路の概念図を表すことは当業者には理解されよう。同様に、任意のフローチャート、フロー図などが、コンピュータ可読記憶媒体に実質的に表現可能であり、したがってコンピュータ又はプロセッサによる実行が、そのようなコンピュータ又はプロセッサが明示的に示されていようといまいと可能である様々な処理を表すことは理解されよう。
【００２３】
さらに、本発明の実施形態は、コンピュータ又は任意の命令実行システムにより使用されるか又はこれらに関連するプログラムコードを提供するコンピュータ使用可能又はコンピュータ可読記憶媒体からアクセス可能なコンピュータプログラム製品の形態をとることができる。この説明のために、コンピュータ使用可能又はコンピュータ可読記憶媒体は、命令実行システム、装置、又はデバイスによって使用されるか又はこれらに関連するプログラムを含む、記憶する、通信する、伝搬する、又は転送することが可能な任意の装置とすることができる。媒体は、電子、磁気、光学、電磁、赤外、若しくは半導体システム（又は装置若しくはデバイス）或いは伝搬媒体とすることができる。コンピュータ可読媒体の例には、半導体又は固体メモリ、磁気テープ、取り外し可能コンピュータディスケット、ランダムアクセスメモリ（ＲＡＭ）、読み出し専用メモリ（ＲＯＭ）、硬質（ｒｉｇｉｄ）磁気ディスク、及び光ディスクが含まれる。光ディスクの現在の例には、コンパクトディスク−読み出し専用メモリ（ＣＤ−ＲＯＭ）、コンパクトディスク−リード／ライト（ＣＤ−Ｒ／Ｗ）、Ｂｌｕ−Ｒａｙ（商標）及びＤＶＤが含まれる。
【００２４】
同様の番号が同一又は類似の要素を表す図面をここで参照し、まず図１を参照すると、一実施形態によるモバイル医療ハブシステム１００が例示的に示されている。システム１００は、複数の医療又は他の入力デバイス又は器具を管理及び／又は制御するためのワークステーション、コンソール又はモバイルコンピューティングデバイス１１２を含むことができる。ワークステーション１１２は、好ましくは、ポータブルコンピュータ、又はポータブルコンピュータのようなデバイスを含む。いくつかの例には、タブレット、ラップトップ、スマートフォンなどが含まれる。ワークステーション１１２は、ハードウェア及びソフトウェアの両方の態様で特別に構成することができる。一実施形態では、ワークステーション１１２は、１つ又は複数のプロセッサ１１４と、プログラム及びアプリケーションを記憶するためのメモリ１１６とを含む。メモリ１１６は、複数の異なるデバイス又は器具へのアクセス、及びこれらとの通信を可能にするように構成される複数の異なるモジュールを記憶することができる。通信モジュール１２２は、既知又は未知のデバイス又は器具１０２との通信を確立し実施するためのプログラム、プロトコル及びアプリケーションを含む。現場に入る救急隊員は、現場にある１つ又は複数の器具１０２の知識を有している場合があるが、データを収集可能な全ての器具について知らない場合がある。通信モジュール１２２は、関連するデータソースを検索し、そのようなデバイスとの通信を確立する。通信モジュール１２２は、１つ又は複数の監視デバイス１０２と通信するように構成されるモバイル通信デバイス１３８を含む。１つ又は複数の監視デバイス１０２は、特定の患者についての測定データ及び／又は履歴データを記憶するように構成される。モバイル通信デバイス１３８は、通信エンベロープに入ると、１つ又は複数の監視デバイス１０２に接続される。通信エンベロープは、Ｂｌｕｅｔｏｏｔｈ（登録商標）又はＷｉＦｉ（登録商標）領域、セルラーネットワーク若しくはセルサイト、ローカルネットワーク、又はハブ若しくはワークステーション１１２への有線接続を含むことができる。
【００２５】
モバイル通信デバイス１３８は、監視デバイス１０２の１つ又は複数と有線又は無線通信を行うように構成される電子又は電気インターフェースを含むことができる。一実施形態では、モバイル通信デバイス１３８は、たとえば、患者から画像データを集めるための超音波プローブ、バーコードをスキャンするためのバーコードスキャナなどに接続するために利用可能な１つ又は複数のポート１３０を含むことができる。
【００２６】
多くのデバイスは、一般的な無線プロトコル、たとえばＢｌｕｅｔｏｏｔｈ（登録商標）、既存のネットワークを介するＷｉＦｉ（登録商標）、セルラー技術、又は直接有線接続を介するプロトコルなどを用いて、ワークステーション１１２に簡単にリンクさせることができる。通信モジュール１２２は、一般的なデバイス又は器具に利用可能である可能性が最も高い医療デバイスなどと共に使用するのに適している他のデバイスプロトコル１２４を含むことができる。モジュール１２４のデバイスプロトコル一覧は、特定の用途のためにカスタマイズすることができ、或いはデバイス又は器具に対して異なるコレクション又はバージョンのプロトコルを含むことができる。
【００２７】
ワークステーション１１２は、複数のデバイス（監視デバイス）からのデータを解釈し、表示フォーマット化モジュール１２８を用いて表示デバイス１１８に効率的にデータを表示する情報監視モジュール１２６を含む。たとえば、現在のペースメーカーデータを、患者の履歴プロファイルからの記録されたペースメーカーデータと共に表示することができ、又は温度センサからの患者の現在の体温を、血圧データと共に同一画面上に表示することができる、などである。
【００２８】
情報監視モジュール１２６は、関連性及びコンテキストに基づいて、１つ又は複数の監視デバイスから特定の患者についての測定データ及び／又は履歴データを受信し、統合し、処理するように構成される。関連性は、最新の測定、イベントの前又は後に行われた測定などを参照し得る。コンテキストは、治療、疾病、病気などの種類を含み得る。たとえば、ＥＭＳの労働者は心停止のイベントに対応することがあり、そのような場合、患者の以前の足首の捻挫は関連性がほとんどなく、緊急通話の現在のコンテキストから外れる。関連性及びコンテキストのスコア化は、情報監視モジュール１２６によって行うことができる。このスコア化を利用して、より高いランクの関連のある及び／又はコンテキストの医療データ及び履歴が、ディスプレイ１１８上に表示ペインに目立つように表示される可能性がより高くなるように、表示フォーマット化を決定することができる。スコア化は、事前にスコア化パラメータ及び値を設定することによって、手動又は自動で導出することができる。異なるスコア化方法は、当業者には知られているであろう。
【００２９】
表示フォーマット化モジュール１２８は、特定の患者についての測定データ及び／又は履歴データを受信し、ディスプレイ１１８上での表示用に測定データ及び／又は履歴データをフォーマット化するように構成される。情報監視モジュール１２６からの関連性及びコンテキストのスコアを利用して、複数の監視デバイスからのデータの関連性及びコンテキストを評価することができる。表示フォーマット化モジュール１２８は、表示用のデータを優先し、それに応じてディスプレイ上の表示ペインを構成する。これは、情報監視モジュール１２６の指導の下で行うことができる。
【００３０】
ワークステーション１１２は、被験者（患者）のデータ（過去及び現在）、現在又は過去の測定値などを見るためのディスプレイ１１８を含む。また、ディスプレイ１１８によって、ユーザは、ワークステーション１１２並びにその構成要素及び機能、又はシステム１００内の任意の他の要素とインタラクションを行うことができる。ディスプレイ１１８はタッチスクリーン機能を含むことができ、そのようにしてユーザインターフェース１２０として作用することができる。システムのインタラクションは、キーボード、マウス、ジョイスティック、触覚デバイス、又はワークステーション１１２からのユーザフィードバック及びワークステーション１１２とのインタラクションを可能にする任意の他の周辺機器若しくはコントロールを含むインターフェース１２０によってさらに容易にすることができる。
【００３１】
データは、モバイル通信デバイス１３８の一部である入力／出力ポート１３０を介して１つ又は複数の外部デバイス（監視デバイス）から収集するか、又はこれに出力することができる。ポート１３０は、１つ又は複数の無線アンテナ、ケーブル接続ポート、たとえばＵＳＢ又は他の標準ポート、特殊ポート、複数の異なるポート、超音波プローブ接続ポートなどを含むことができる。ポート１３０は、患者の識別情報を読み取り、薬をスキャンするためのバーコードスキャナを含むことができる。ビデオ及びオーディオアプリケーション又はリンク１３２を設けて、遠隔の医療専門家に相談することができる（すなわち、遠隔医療）。メモリ１１６は、ハブ１００を介してヘルスケア専門家と接続するためのリンク又はアプリ（１３２）を記憶する。これは、好ましくは、ハブ１００を用いた専門家とのビデオ又は音声会議のための直接リンクである。
【００３２】
一実施形態では、ハブ１００は、特定の高耐久機能を有して構成されるタブレットコンピュータ（又は他のモバイルコンピューティングデバイス）か、さらには本原理に従って構成される標準的なタブレット、スマートフォン、ラップトップなどを含むことができる。タブレットは、耐久性を向上させるためのケース又はフレームを含むことができる。一実施形態では、タブレットコンピュータは、民生品のタブレットでは利用できない機能を提供するハードウェアモジュール１４２（たとえば、境界１４０内に示された構成要素を含む外部接続モジュール）、たとえば、無線アクセスポイント、ＷｉＦｉ（登録商標）ホットスポット、プリンタ、バーコードスキャナワンド（ｗａｎｄ）、光センサ、超音波プローブなどにタブレットを取り付けることによって（物理的及び／又は電気的に）拡張することができる。このように、タブレット又は任意のコンピュータ若しくはコンピュータのようなデバイスは、本原理に従うモジュール／機能を含む外部モジュール１４２に差し込むことによって、ハブ１００に変換することができる。
【００３３】
ハブ１００は、複数の医療デバイス及び患者情報システムとデータ及び制御を交換する通信モジュール１２２などのソフトウェアを実行する１つ又は複数のコンピュータプロセッサを組み込むことができる。通信モジュール１２２のソフトウェアは、承認されたデバイス及びシステムと接続するためのセキュリティモジュール１３４を提供することができる（たとえば、安全なペアリング）。セキュリティモジュール１３４は、承認されたデバイス及びシステムとの機密医療データの交換を可能にする（たとえば、暗号化）。一例では、ＥＭＳの労働者、病院又は他の医療従事者若しくは団体は、信頼できるパートナーとして自分自身を識別することが可能な暗号化キーへのアクセスが付与され得る。セキュリティモジュール１３４は、ハブ１００が１つ又は複数の監視デバイスの通信エンベロープに入ったときに、ハブ１００による１つ又は複数の監視デバイスへのアクセスを承認するように構成される。
【００３４】
一実施形態では、患者は、安全なリポジトリなどにパスワード又はキーを与えることができる。緊急時には、リポジトリと協議して、パスワード又はキーを取得することができる。現場、病院などに入ると、ハンドシェイクプロトコルを開始することができ、これに対してハブ１００がローカルデバイスにパスワードを提示して、これと通信リンクを開始することができる。
【００３５】
他の実施形態では、ローカルハブ１００は、患者の全てのデバイスにリンクさせることができる。ローカルハブ１００は、よりグローバルなハブ１００’がローカルハブ１００の近傍に入るまで、全ての関連するデータを記憶する。次いで、ローカルハブ１００は関連するデータをグローバルハブ１００’にアップロードする。本原理に従って患者のデータを保護するために複数の異なるセキュリティシステム及び／又はプロトコルを配備できることを理解されたい。既知のセキュリティ対策又は修正されたセキュリティ対策を必要に応じて採用することができる。ハブを階層的に配置できることに留意されたい。たとえば、あるローカルハブ１００は、家族ハブ（家族全体用）（図示せず）に報告することができ、家族ハブは、通信エンベロープに入ると、ハブ１００’に報告することができる。
【００３６】
一実施形態によれば、表示フォーマット化モジュール１２８は、ディスプレイ１１８上に表示するためのカスタマイズ可能な又は適応的なグラフィカルユーザインタフェース又は「ダッシュボード」を含むことができる。ハブ１００は、重要なリアルタイムの患者情報、たとえば、生理学的アラーム（たとえば、低血圧）、又は関連する履歴（たとえば、最近の心筋梗塞で入院した）を迅速にスキャンするように構成される。この情報は、利用可能な情報に応じて構成可能な適切なフィールドにレンダリングすることができる。表示フォーマット化モジュール１２８は、詳細な病歴記録及び診断画像（たとえば、Ｘ線、ＣＴスキャン、ＭＲＩ画像、超音波画像及びビデオ）を表示するためのペインを含むことができる。画像又はデータを見るためのアプリケーションは、メモリ１１６に記憶されるアプリ／リンク１３２に含めることができる。
【００３７】
ワークステーション１１２は、他のツール及びアプリケーション、たとえば文書処理ソフト又は他の患者データ入力エディタ１３６など、患者ケアデータ（たとえば、ｅＰＣＲクライアントソフトウェア）又は他の情報を入力するためのものを搭載することができる。ワークステーション１１２は、接続された医療デバイス及びシステムからのデータを患者ケア記録に自動的にインポートし統合する能力、及び／又は患者ケア記録を病院及び／又はＥＭＳ機関に、漸増的にリアルタイムで、又はイベント終了後に完全な患者イベント記録として転送する能力を提供することが可能な複数の入力／出力ポート（１３０）を含むことができる。
【００３８】
図２を参照すると、一例示的実施形態による多様な医療デバイス及び患者医療記録システムへの無線及び有線接続を有する中央監視ハブ又はモバイルヘルスケアハブ１００が例示的に示されている。一実施形態では、モバイルヘルスケアハブ１００は、タッチスクリーンディスプレイと、無線データ通信能力、たとえばローカルデバイス及びシステムとの通信用のＢｌｕｅｔｏｏｔｈ（登録商標）及び／又はＷｉＦｉ（登録商標）、並びに／或いは遠隔デバイス及びシステムとの通信用のセルラーとを有する頑丈なタブレットコンピュータを含む。追加的能力は、患者の識別情報を読み取り、薬をスキャンし、遠隔の医療専門家と相談する（すなわち、遠隔医療）ためのビデオ及びオーディオのリンクをスキャンするためのバーコードリーダ２２６を用いたバーコードスキャンを含むことができる。ハブ１００は、本明細書に記載された統合能力の一部又は全部を含むことができる。提示されたこれらの能力が例示的であって、ハブ１００の能力を限定するものと解釈されるべきでないことに留意されたい。
【００３９】
ハブ１００は、１つ又は複数の監視デバイス（１０２、図１）と通信する。これらの監視デバイスは、たとえば、除細動器／ペースメーカーモジュール、患者監視モジュール、患者既往歴ポータル、ホーム監視ポータル、ホームヘルスデバイス又はセンサ、人工呼吸器、心肺蘇生（ＣＰＲ：ｃａｒｄｉｏｐｕｌｍｏｎａｒｙ  ｒｅｓｕｓｃｉｔａｔｉｏｎ）モジュール、温度調節モジュールなどを含むことができる。これらのデバイスは、他のコンソール又はデバイスと接続できるので、モジュールと呼ばれる。これらのデバイスはまた、通信能力を有するスタンドアローン型のユニットとすることができることに留意されたい。
【００４０】
患者監視モジュール２０２は、取得された患者のバイタル測定値を提供する。ハブ１００はこのデータを受信して、たとえば、ＥＣＧ（心電図）、ＳＰＯ２（パルスオキシメトリ）、ＮＢＰ（非観血血圧）、ＥｔＣＯ２（呼気終末二酸化炭素）、ＣＯ（一酸化炭素）、体温、ＩＢＰ（観血血圧）などを含む患者のバイタル測定値を表示、ログ記録、及び送信できるようにする。ハブ１００はまた、警報限界の設定、更新された測定値の要求、測定パラメータの調整など、測定値の制御を提供することができる。ハブ１００及び／又はデバイスは、好ましくは、ハブ１００にデバイスの制御を許可する権限を用いて設定される。ハブ１００は、接続前に自動体外式除細動器（ＡＥＤ：ａｕｔｏｍａｔｅｄ  ｅｘｔｅｒｎａｌ  ｄｅｆｉｂｒｉｌｌａｔｏｒ）２２０によって記憶された患者データをインポートすることができる。
【００４１】
除細動器／ペースメーカーモジュール２０４は、除細動ショック、同期カルディオバージョン及び経皮ペーシングを含む電気治療を提供する。ハブ１００は、ステータス（たとえば、エネルギー設定及び動作モード）、イベント（たとえば、ショックが与えられた）、及びアラーム（たとえば、パッドのインピーダンスがショック用には高すぎる）を受信して、表示、ログ記録、及び送信できるようにする。
【００４２】
ＡＥＤ２２０は、ＥＣＧを解析してショックが勧められるかを判定し、除細動ショックを与える。ハブ１００は、ステータス（たとえば、エネルギー設定及び動作モード）、イベント（たとえば、ショックが与えられた）、及びアラーム（たとえば、パッドのインピーダンスがショック用には高すぎる）を受信して、表示、ログ記録、及び送信できるようにする。ハブ１００は、接続前にＡＥＤ２２０によって記憶された患者データをインポートすることができる。
【００４３】
画像及びビデオを取得し記憶する超音波プローブ２０６は、ハブ１００に接続し、これによって制御することができる。ハブ１００は、超音波画像及びビデオを受信して、表示、ログ記録、及び送信できるようにする。
【００４４】
温度調節モジュール２０８は、非侵襲性（たとえば、表面）又は侵襲性（たとえば、血管内）の方法によって患者を冷やす又は温める。ハブ１００は、ステータス（たとえば、温度設定、測定された温度）、及びアラーム（たとえば、冷却剤閉塞）を受信して、表示、ログ記録、及び送信できるようにする。ＣＰＲ（心肺蘇生）モジュール２２４は、自動的に胸部圧迫を提供するか、又は介護者の圧迫を監視し指導を提供する（たとえば、より速く圧迫する、より深く圧迫する）ように構成される。ハブ１００は、ステータス（たとえば、圧迫速度及び深さ）、及びアラーム（たとえば、圧迫時間なし）を受信して、表示、ログ記録、及び送信できるようにする。ハブ１００はまた、ＣＯ２読取値などのバイタル測定値を相関させて、圧迫速度又は深さを自動的に適合させることによって、より効果的なＣＰＲを行うことができる。
【００４５】
人工呼吸器モジュール２１０は、呼吸可能な空気を肺の内外に機械的に移動させる（挿管を介して侵襲的に、又はマスクを介して非侵襲的に）。ハブ１００は、ステータス（たとえば、換気速度及び圧力）、及びアラーム（たとえば、空気流の閉塞）を受信して、表示、ログ記録、及び送信できるようにする。ハブ１００はまた、ＣＯ２読取値などのバイタル測定値を相関させて、換気速度又は圧力を自動的に適合させることによって、より効果的な換気を行うことができる。
【００４６】
ホームヘルスデバイス２１２は、小型で安価な患者着用デバイス、たとえば血糖測定器、ＥＣＧ又は心拍数モニタ、呼吸数モニタ、ＳｐＯ２モニタなどを含むことができる。ハブ１００は、測定値、ステータス及びアラームを受信して、表示、ログ記録、及び送信できるようにする。ホームヘルスデバイス２１２は、測定データを記憶するための非常に限られた能力を有し得る。
【００４７】
ホーム監視ポータル２１４は、Ｐｈｉｌｉｐｓ（登録商標）ＴｅｌｅＳｔａｔｉｏｎ（商標）などのシステムを含み、ホームヘルスデバイス２１２からの測定データを、ポータル２１４内の、又はポータル２１４を介してアクセスされるデータ記憶システムに送信することができる。ハブ１００は、この記憶システムからのデータをインポートして、表示できるようにする。
【００４８】
患者既往歴ポータル２１６は、緊急治療、入院、及び医師の訪問からの患者データへのアクセスを提供する患者データ記録記憶システム、たとえば医療情報交換（ＨＩＥ：Ｈｅａｌｔｈ  Ｉｎｆｏｒｍａｔｉｏｎ  Ｅｘｃｈａｎｇｅ）などを含む。ハブ１００は、この記憶システムからのデータをインポートして、表示できるようにする。
【００４９】
他のデバイスは、介護者のデバイス２１８、たとえば、Ｇｏｏｇｌｅ  ｇｌａｓｓｅｓ（商標）、ラップトップ、タブレット、スマートフォンなどを含むことができる。これらのデバイスは、ハブ１００に直接報告するアプリを搭載することができ、それら自体が、デバイス２１８の近傍内にある場合に、ハブ１００に適切な許可が付与された局所化ハブ（１００）として機能することができる。他のデバイスは、報告能力を有するセンサ２２２を含むことができる。
【００５０】
モバイルヘルスケアハブ１００は、多様な医療デバイス、センサ、及び患者情報システムからの情報を統合し、この情報を表示するか、或いは介護者に即座に利用可能にする。一実施形態では、患者がハブ１００にログ記録されると、患者のデータを複数の環境にある複数のソースから収集することができる。たとえば、患者の情報を通信指令員に伝達し、ハブ１００にログ記録することができる。ＥＭＳの救急車は病院を出発し、病院からの患者のデータの一部又は全部へのアクセスが許可され得る（たとえば、患者の病歴）。現場に到着すると、ハブ１００は、患者自身のデバイスから更新又は追加データを収集することができる（たとえば、新たな更新された心拍数、体温など）。
【００５１】
患者データについての許可が先天的に付与されている場合があり、又は患者が、複数のデバイスを監視し得るその場でのローカルハブを有している場合があり、ＥＭＳの労働者のハブが近傍にあるときに、患者のローカルハブからデータは、そのデータをＥＭＳのハブ１００にアップロードすることができる。このための許可も先天的に設定することができる。
【００５２】
図３を参照すると、本原理による患者データに遠隔アクセスするための方法が、例示的に説明及び図示されている。ブロック３０２において、モバイルヘルスケアハブが提供される。ハブは、少なくとも１つのプロセッサと、少なくとも１つのプロセッサに結合されるメモリと、プロセッサに結合されるディスプレイと、通信モジュールとを含む。通信モジュールは、メモリに記憶することができ、又は（たとえば、ＵＳＢポートで）外部アタッチメントを含むことができる。通信モジュールは、１つ又は複数の監視デバイスと通信するように構成されるモバイル通信デバイスを含む。１つ又は複数の監視デバイスは、特定の患者についての測定データ及び／又は履歴データを記憶するように構成される。情報監視モジュールが含まれており、関連性及びコンテキストに基づいて、監視デバイスから特定の患者についての測定データ及び／又は履歴データを受信し、統合し、処理するように構成される。表示フォーマット化モジュールは、特定の患者についての測定データ及び／又は履歴データを受信し、測定データ及び／又は履歴データをフォーマット化するように構成される。
【００５３】
ブロック３０４において、１つ又は複数の監視デバイスの通信エンベロープが、ハブによって入られる（又はその逆）。ブロック３０６において、１つ又は複数の監視デバイス及びハブの間に通信が確立される。通信の確立は、ブロック３０８において監視デバイスの１つ又は複数と安全な有線又は無線通信を確立することを含むことができる。ブロック３１０において、安全な有線又は無線通信の確立は、ハブが１つ又は複数の監視デバイスの通信エンベロープに入った場合にハブによる１つ又は複数の監視デバイスへの安全なアクセスを承認することを含むことができる。有線通信は、単にデバイスに差し込むことにより承認を与えることができるが、追加の許可も同様に必要となる場合がある。
【００５４】
ブロック３１２では、測定データ及び／又は履歴データを含む患者データが、１つ又は複数の監視デバイスから特定の患者について収集される。ブロック３１４において、患者データがハブのディスプレイ上での表示用にフォーマット化及び統合される。
【００５５】
ブロック３１６において、データは、ハブを用いて患者から直接リアルタイムに収集することができ、たとえば、ハブを用いて患者からデータを収集することは、ハブに接続されたプローブを用いて患者から画像データを集めること、バーコードスキャナを用いて処方箋バーコードをスキャンすることなどを含むことができる。
【００５６】
ブロック３１８において、ハブを監視デバイスとして含めることができる。ハブを階層的に接続して、複数の監視デバイスからローカルに患者データを集めることによって、階層内のより上位のハブにアップロードすることができる。ブロック３２０において、ハブをヘルスケア専門家とリンクさせて（ビデオ又はオーディオ）、ハブを介して接続することができる。
【００５７】
添付の特許請求の範囲を解釈する際に、以下のことを理解されたい。
ａ）「備える」という単語は、所与の請求項に記載された以外の要素又は行為の存在を排除するものではない。
ｂ）要素の前の「ａ」又は「ａｎ」という単語は、複数のそのような要素の存在を排除するものではない。
ｃ）特許請求の範囲におけるいかなる参照符号も、その範囲を限定するものではない。
ｄ）いくつかの「手段」は、同じアイテム又はハードウェア若しくはソフトウェアで実施される構造若しくは機能によって表すことができる。
ｅ）特に示さない限り、特定の順序の行為は必要とされないものとする。
【００５８】
（例示的であって限定的ではないものとする）モバイルヘルスケアハブのための好ましい実施形態を説明したが、修正及び変形を上記の教示に照らして当業者によって行うことができることに留意されたい。したがって、添付の特許請求の範囲によって概説された本明細書で開示された実施形態の範囲内にある変更が、開示された本開示の特定の実施形態においてなされ得ることは理解されたい。したがって、特許法により要求される詳細及び特殊性を説明したが、特許請求され特許証による保護が所望されるものは、添付の特許請求の範囲に記載されている。
【図１】
2018500090.tif 000003
【図２】
2018500090.tif 000004
【図３】
2018500090.tif 000005
【国際調査報告】
2018500090.tif 000006
2018500090.tif 000007
2018500090.tif 000008